(57)【要約】【課題】光トランシーバの前面側から発生する電磁ノイズが外部に漏れるのを極力防止できる光通信部品を提供する。【解決手段】前面にフェルール受け部５ｂを有する光トランシーバ５と、光トランシーバ５の周囲に配置されたシールドケース６と、シールドケース６内に挿入され、先端部がフェルール受け部５ｂで支持されるフェルール７と、フェルール７の周囲を被うようにフェルール受け部５ｂの前面側に配置され、フェルール７をフェルール受け部５ｂ側に押圧する導電性の板バネ２０とを備えた。【選択図】図２
2012008463.tif 000002
【特許請求の範囲】
【請求項１】
前面にフェルール受け部を有する光トランシーバと、前記光トランシーバの周囲に配置されたシールドケースと、前記シールドケース内に挿入され、先端部が前記フェルール受け部で支持されるフェルールと、前記フェルールの周囲を被うように前記フェルール受け部の前面側に配置され、前記フェルールを前記フェルール受け部側に押圧する導電性の板バネとを備えたことを特徴とする光通信部品。
【請求項２】
請求項１記載の光通信部品であって、
前記光トランシーバは基板に実装され、前記基板に前記シールドケースが半田付けによって固定され、前記シールドケースが前記基板を介してアース接続されたことを特徴とする光通信部品。
【請求項３】
請求項１又は請求項２記載の光通信部品であって、
前記板バネは、前記フェルールへのバネ反力によって前記シールドケースに面接触されていることを特徴とする光通信部品。
【発明の詳細な説明】
【技術分野】
【０００１】
本発明は、光ファイバのフェルールが配置される光通信部品に関する。
【背景技術】
【０００２】
この種の従来例の光通信部品として、特許文献１に開示されたものがある。この光通信部品である光コネクタ１００は、図１０及び図１１に示すように、電子部品本体１０１と、この電子部品本体１０１の外周を被うシールドケース１１０とを備えている。電子部品本体１０１は、ハウジング１０２と、このハウジング１０２の仕切壁（図示せず）の一対の孔に挿入された一対のスリーブ１０３と、一対のスリーブ１０３に後方より挿入された一対の導光部材１０４と、一対の導光部材１０４の後面側に配置された光トランシーバ（ＦＯＴ：Ｆｉｂｅｒ  Ｏｐｔｉｃａｌ  Ｔｒａｎｓｃｅｉｖｅｒ）１０５とを備えている。
【０００３】
シールドケース１１０は、三つの上面片部１１１ａと一対の側面部１１１ｂと後面部１１１ｃとを備えている。一対の側面部１１１ｂと後面部１１１ｃの下端面には、複数のグランドピン１１１ｄが下方に向かって突設されている。
【０００４】
シールドケース１１０は、下方面側のケース開口より電子部品本体１０１の外周に被せることによって電子部品本体１０１に装着されている。
【０００５】
各グランドピン１１１ｄは、光トランシーバ１０５のリード部１０５ａと共に、実装される基板（図示せず）の所定の導体部（図示せず）に半田付け等によって接続される。
【０００６】
相手光コネクタ（図示せず）がハウジング１０２に装着されると、相手光コネクタの一対のフェルール（図示せず）が各スリーブ１０３内に挿入され、光ファイバ（図示せず）と光トランシーバ１０５間での光信号の授受が行われる。そして、各光トランシーバ１０５から外部に射出される電磁波、及び、外部から各光トランシーバ１０５に入射する電磁波をシールドケース１１０でシールドするため、電磁波に起因する悪影響を極力防止できる。
【先行技術文献】
【特許文献】
【０００７】
【特許文献１】特開２００９−１１１１１４号公報
【発明の概要】
【発明が解決しようとする課題】
【０００８】
しかしながら、前記従来例の光コネクタ１００では、シールドケース１１０が光トランシーバ１０５の両側の側面と後面の全域と上面の一部を被っているだけなので、電磁ノイズを有効に防止できない。特に、通信速度が速くなると、電磁ノイズを有効に除去することができなくなる。
【０００９】
ここで、光トランシーバ１０５の上面側のシールド対策に関しては、シールドケース１１０を光トランシーバ１０５の上面全域を被うような形状に変更すれば可能であるが、光トランシーバ１０５の前面側に関してはフェルール（図示せず）が挿入されるため、シールドケース１１０で被うことができない。従って、光トランシーバ１０５の前面側から発生する電磁ノイズの外部漏れを防止できない。
【００１０】
そこで、本発明は、前記した課題を解決すべくなされたものであり、光トランシーバの前面側から発生する電磁ノイズが外部に漏れるのを極力防止できる光通信部品を提供することを目的とする。
【課題を解決するための手段】
【００１１】
本発明は、前面にフェルール受け部を有する光トランシーバと、前記光トランシーバの周囲に配置されたシールドケースと、前記シールドケース内に挿入され、先端部が前記フェルール受け部で支持されるフェルールと、前記フェルールの周囲を被うように前記フェルール受け部の前面側に配置され、前記フェルールを前記フェルール受け部側に押圧する導電性の板バネとを備えたことを特徴とする。
【００１２】
前記光トランシーバは基板に実装され、前記基板に前記シールドケースが半田付けによって固定され、前記シールドケースが前記基板を介してアース接続されることが好ましい。
【００１３】
前記板バネは、前記フェルールへのバネ反力によって前記シールドケースに面接触されていることが好ましい。
【発明の効果】
【００１４】
本発明によれば、板バネが光トランシーバの前面に配置され、光トランシーバの前面側から発生する電磁ノイズが板バネによってシールドされるため、光トランシーバの前面側から発生する電磁ノイズが外部に漏れるのを極力防止できる。
【図面の簡単な説明】
【００１５】
【図１】本発明の一実施形態を示し、コネクタの斜視図である。
【図２】本発明の一実施形態を示し、コネクタの分解斜視図である。
【図３】本発明の一実施形態を示し、シールドケースの斜視図である。
【図４】本発明の一実施形態を示し、板バネの斜視図である。
【図５】本発明の一実施形態を示し、コネクタの要部断面図（図９のＡ−Ａ線断面図）である。
【図６】本発明の一実施形態を示し、コネクタの組み付け過程の斜視図である。
【図７】本発明の一実施形態を示し、コネクタの組み付け過程の斜視図である。
【図８】本発明の一実施形態を示し、コネクタの組み付け過程の斜視図である。
【図９】本発明の一実施形態を示し、コネクタの組み付け過程の斜視図である。
【図１０】従来例の光コネクタの分解斜視図である。
【図１１】従来例の光コネクタの斜視図である。
【発明を実施するための形態】
【００１６】
以下、本発明の一実施形態を図面に基づいて説明する。
【００１７】
図１〜図９は本発明の光通信部品であるコネクタ１の一実施形態を示す。コネクタ１は、光／電気変換用コネクタである。
【００１８】
図１及び図２において、コネクタ１は、ハウジング２と、このハウジング２内に内蔵された基板である光／電気変換用基板３と、この光／電気変換用基板３の裏面側に固定された端子部４と、光／電気変換用基板３の表面側にそれぞれ配置された一対の光トランシーバ（ＦＯＴ：Ｆｉｂｅｒ  Ｏｐｔｉｃａｌ  Ｔｒａｎｓｃｅｉｖｅｒ）５、シールドケース６、一対のフェルール７、板バネ２０及びパッキン９とを備えている。
【００１９】
ハウジング２は、絶縁性の合成樹脂材より形成されている。ハウジング２は、コネクタ嵌合室（図示せず）と部品収容室２ａを有する。コネクタ嵌合室（図示せず）と部品収容室２ａは、連通している。
【００２０】
光／電気変換用基板３には、導体パターンによって回路が形成されている。光／電気変換用基板３には、半田固定用孔３ａが複数箇所に設けられている。
【００２１】
端子部４は、中継端子４ａを有すると共にその外周が端子側シールドカバー４０によって被われている。端子側シールドカバー４０には、一対の取付突部４０ａが設けられている。端子部４は、中継端子４ａ及び一対の取付突部４０ａが光／電気変換用基板３に半田付けされることによって光／電気変換用基板３に電気的に接続され、且つ、固定されている。端子側シールドカバー４０は、光／電気変換用基板３を介してアース接続されている。端子部４を境としてハウジング２内の一方側がコネクタ嵌合室（図示せず）である。コネクタ嵌合室（図示せず）に嵌合された相手コネクタ（図示せず）は、その各端子（図示せず）が端子部４の対応する端子（図示せず）に電気的に接続される。
【００２２】
一対の光トランシーバ５は、光／電気変換用基板３に半田付けで固定されている。一対の光トランシーバ５は、例えば一方が発光素子であり、他方が受光素子である。各光トランシーバ５は、光トランシーバ本体５ａと、その前面側に配置された円筒状のフェルール受け部５ｂとを有する（図５参照）。
【００２３】
シールドケース６は、図３に詳しく示すように、導電性の金属板を打ち抜き、折り曲げ加工して形成されている。シールドケース６は、一対の光トランシーバ５の上面、側面、底面及び前面にそれぞれ配置される上面ケース部６ａ、一対の側面ケース部６ｂ、底面ケース部６ｃ及び前面ケース部６ｄと、一対の光トランシーバ５の間に配置される仕切ケース部６ｅとを備えている。一対の側面ケース部６ｂには、取付突部６ｆが設けられている。シールドケース６は、一対の取付突部６ｆが光／電気変換用基板３に半田付けされることによって光／電気変換用基板３に電気的に接続され、且つ、固定されている。シールドケース６は、光／電気変換用基板３を介してアース接続されている。
【００２４】
上面ケース部６ａは、底面ケース部６ｃより幅狭に形成されている。これにより、シールドケース６の上面には、バネ装着用開口６ｇが形成されている。前面ケース部６ｄには、一対のフェルール挿入孔６ｈが設けられている。
【００２５】
一対のフェルール７は、各光ファイバ１０の端部に固定されている。一対のフェルール７は、シールドケース６の一対のフェルール挿入孔６ｈよりシールドケース６内に挿入されている。各フェルール７は、円柱状のフェルール本体７ａと、フェルール本体７ａの外周に突出するリング状の鍔部７ｂを有する。フェルール本体７ａの先端部は、各光トランシーバ５のフェルール受け部５ｂに挿入されている（図５参照）。
【００２６】
板バネ２０は、図４に詳しく示すように、導電性の金属板を打ち抜き、折り曲げ加工して形成されている。板バネ２０は、上面連結部２１と、この上面連結部２１より延設された４つのコ字状バネ部２２，２３とから構成されている。各コ字状バネ部２２，２３は、上面連結部２１より延設された前面片部２２ａ，２３ａと、前面片部２２ａ，２３ａより延設された底面片部２２ｂ，２３ｂと、底面片部２２ｂ，２３ｂより延設された後面片部２２ｃ，２３ｃから略コ字形状に形成されている。後面片部２２ｃ，２３ｃは、片持ち支持である。中央寄りの２つのコ字状バネ部２２は幅が細く、両端側の２つのコ字状バネ部２３は幅が太くそれぞれ形成されている。幅細のコ字状バネ部２２と幅太のコ字状バネ部２３の間は、フェルール７のフェルール本体７ａより幅広で、且つ、鍔部７ｂより幅狭の寸法に設定されている。
【００２７】
板バネ２０は、シールドケース６のバネ装着用開口６ｇより各フェルール７の近傍を通って各フェルール７に干渉することなくシールドケース６内に配置されている。板バネ２０の各コ字状バネ部２２，２３は、前面ケース部６ｄと各フェルール７の鍔部７ｂの間に撓み変形しつつ入り込み、撓み復帰変形によるバネ力によって各フェルール７の鍔部７ｂを光トランシーバ５のフェルール受け部５ｂ側に押圧する。板バネ２０は、一対のフェルール７の周囲を被うように一対のフェルール受け部５ｂの前面側に配置されてている。これにより、一対の光トランシーバ５の前面側は、一対のフェルール７を除いてほぼ板バネ２０によって被われている。
【００２８】
パッキン９は、光ファイバ１０が貫通するファイバ貫通孔９ａを有する。パッキン９は、ハウジング２の部品収容室２ａの端部に嵌合されている。パッキン９によって部品収容室２ａが密閉されている。
【００２９】
次に、コネクタ１の組み付け手順を簡単に説明する。一対の光トランシーバ５を光／電気変換用基板３に半田付けする。次に、図６に示すように、光／電気変換用基板３と端子部５間を半田付けする。次に、図７に示すように、光／電気変換用基板３とシールドケース６間を半田付けする。そして、一対のフェルール７をシールドケース６のフェルール挿入孔６ｈより挿入し、フェルール本体７ａの先端部を光トランシーバ５のフェルール受け部５ｂに挿入する。次に、図８に示すように、板バネ２０をシールドケース６内に挿入し、板バネ２０をシールドケース６の前面ケース部６ｄとフェルール７の鍔部７ｂの間に介在する。次に、このように組み付けた組付体（図９参照）をハウジング２内の部品収容室２ａの所定位置まで挿入し、ハウジング２内に固定する。そして、光ファイバ１０を貫通させたパッキン９をハウジング２の部品収容室２ａに装着すれば、完了する。
【００３０】
上記コネクタ１にあって、電線（図示せず）が接続された相手コネクタ（図示せず）がハウジング２のコネクタ嵌合室（図示せず）に装着されると、光ファイバ１０と光トランシーバ５間で光信号の授受が行われる。そして、光ファイバ１０では光信号が伝送され、電線（図示せず）では電気信号が伝送される。そして、各光トランシーバ５から外部に射出される電磁波、及び、外部から各光トランシーバ５に入射する電磁波をシールドケース６、板バネ２０及び端子側シールドカバー４０でシールドするため、高い電磁ノイズ除去性能が得られる。以上より、通信速度が速くなっても、電磁ノイズを有効に除去することができる。
【００３１】
詳細には、シールドケース６が光トランシーバ５の上面、両方の側面及び底面に配置されている。その上、板バネ２０が光トランシーバ５の前面に配置され、光トランシーバ５の前面側から発生する電磁ノイズを板バネ２０によってシールドするため、光トランシーバ５の前面側から発生する電磁ノイズが外部に漏れるのを極力防止できる。
【００３２】
又、板バネ２０のバネ力によってフェルール７が光トランシーバ５のフェルール受け部５ｂ側に押圧されるため、フェルール７を確実に所定位置（詳細には、図５に示すように、フェルール７の先端を光トランシーバ５の光トランシーバ本体５ａからｄ寸法の位置）に保持でき、コネクタ１内での光損失を極力防止できる。
【００３３】
光トランシーバ５は光／電気変換用基板３に実装され、光／電気変換用基板３にシールドケース６が半田付けによって固定されているので、この半田付け箇所をアース経路とすることによって、シールドケース６を光／電気変換用基板３を介してアース接続できるため、シールドケース６をアース接続するための専用の手段及び作業が必要ない。又、光／電気変換用基板３にシールドケース６が半田付けされているので、シールドケース６を確実にグランド電位に落とすことができ、電磁ノイズ除去性能が向上する。又、この実施形態では、光／電気変換用基板３に端子側シールドカバー４０も半田付けされているので、端子側シールドカバー４０も確実にグランド電位に落とすことができ、電磁ノイズ除去性能が向上する。
【００３４】
板バネ２０は、フェルール７へのバネ反力によってシールドケース６に面接触されているので、板バネ２０をシールドケース６と共に確実にグランド電位に落とすことができ、電磁ノイズ除去性能が向上する。又、この実施形態では、板バネ２０の各コ字状バネ部２２，２３の二面がシールドケース６にそれぞれ面接触するため、板バネ２０を確実にグランド電位に落とすことができる。
【００３５】
一対の光トランシーバ５の間は、仕切ケース部６ｅによって仕切られるので、一対の光トランシーバ５間の互いの電磁ノイズによる悪影響をも防止できる。
【００３６】
尚、この実施形態では、光通信部品はコネクタ１であるが、これ以外の種類のコネクタにも本発明は適用可能である。又、本発明は、フェルール７が配置される光通信部品であればコネクタ以外でも適用できるのはもちろんである。
【符号の説明】
【００３７】
１  コネクタ（光通信部品）
３  光／電気変換用基板（基板）
５  光トランシーバ
５ｂ  フェルール受け部
６  シールドケース
７  フェルール
２０  板バネ
【図１】
2012008463.tif 000003
【図２】
2012008463.tif 000004
【図３】
2012008463.tif 000005
【図４】
2012008463.tif 000006
【図５】
2012008463.tif 000007
【図６】
2012008463.tif 000008
【図７】
2012008463.tif 000009
【図８】
2012008463.tif 000010
【図９】
2012008463.tif 000011
【図１０】
2012008463.tif 000012
【図１１】
2012008463.tif 000013